(57)【要約】    【課題】      １の基地局装置と複数の通信端末装置とがＯＦＤＭ方式の無線通信を行うシステムにおいて、受信品質の報告の為のビット数を低減し、かつ、全てのサブキャリアに対して通信端末装置を割り当てること。    【解決手段】  閾値設定部１５１は、通信端末装置毎に所望の受信品質を示す閾値を設定する。復調部１０５は、通信中の各通信端末装置にて閾値との大小関係に基づいて量子化された各サブキャリアの受信品質を示す受信品質情報を含む信号を復調する。スケジューリング部１５２は、受信品質情報及び閾値情報に基づいて、サブキャリア毎にデータ送信先の通信端末装置を割り当て、通信端末装置毎に送信データの変調方式及び符号化率を決定する。  【選択図】      図１
2006180374.tif 000002
【特許請求の範囲】
【請求項１】
複数の通信端末装置とＯＦＤＭ方式の無線通信を行う基地局装置であって、
前記通信中の通信端末装置毎に所望の受信品質を示す閾値を設定する閾値設定手段と、
前記各通信端末装置にて前記閾値との大小関係に基づいて量子化された各サブキャリアの受信品質を示す受信品質情報を含む信号を復調する復調手段と、
前記受信品質情報及び前記閾値に基づいてサブキャリア毎にデータ送信先の通信端末装置を割り当て通信端末装置毎に送信データの変調方式及び符号化率を決定するスケジューリング手段と、を具備する基地局装置。
【請求項２】
前記閾値設定手段は、ＱｏＳ（Quality Of Service）に基づいて前記閾値を設定する請求項１に記載の基地局装置。
【請求項３】
前記スケジューリング手段は、各サブキャリアについて、前記量子化された受信品質が前記閾値より高い通信端末装置が１つのみである場合にはその通信端末装置を割り当て、前記量子化された受信品質が前記閾値以下である通信端末装置が０又は複数である場合には前記閾値が最も高い通信端末装置を割り当てる請求項１又は請求項２に記載の基地局装置。
【請求項４】
複数の通信端末装置とＯＦＤＭ方式の無線通信を行う基地局装置であって、
前記通信中の通信端末装置毎に受信品質が高い順に選択するサブキャリア数Ｎを設定するサブキャリア数設定手段と、
前記各通信端末装置にて前記サブキャリア数Ｎに基づいて各サブキャリアが選択されたか否かを示す選択サブキャリア情報及び受信品質がＮ番目のサブキャリアの受信品質を示すＮ番目受信品質情報を含む信号を復調する復調手段と、
前記選択サブキャリア情報及び前記Ｎ番目受信品質情報に基づいてサブキャリア毎にデータ送信先の通信端末装置を割り当て通信端末装置毎に送信データの変調方式及び符号化率を決定するスケジューリング手段と、を具備する基地局装置。
【請求項５】
前記サブキャリア数設定手段は、ＱｏＳ（Quality Of Service）に基づいて前記サブキャリア数を設定する請求項４に記載の基地局装置。
【請求項６】
前記スケジューリング手段は、各サブキャリアについて、前記受信品質がＮ番目以内である通信端末装置が１つのみである場合にはその通信端末装置を割り当て、前記受信品質がＮ番目以内である通信端末装置が０又は複数である場合には前記Ｎ番目のサブキャリアの受信品質が最も高い通信端末装置を割り当てる請求項４又は請求項５に記載の基地局装置。
【請求項７】
請求項１に記載の基地局装置から前記閾値を示す情報を含む信号を受信して復調する受信手段と、
受信信号の受信品質をサブキャリア毎に測定する受信品質測定手段と、
前記受信品質と閾値との比較結果に基づいて各サブキャリアの受信品質を量子化し、量子化した受信品質を示す受信品質情報を生成する測定量子化手段と、
前記受信品質情報を前記基地局装置に送信する送信手段と、を具備する通信端末装置。
【請求項８】
請求項４に記載の基地局装置から前記サブキャリア数Ｎを示す情報を含む信号を受信して復調する受信手段と、
受信信号の受信品質をサブキャリア毎に測定する受信品質測定手段と、
受信品質が高い順に、前記サブキャリア数情報によって示されるＮ個のサブキャリアを選択し、各サブキャリアについて当該サブキャリアが選択されたか否かを示す選択サブキャリア情報を生成し、受信品質がＮ番目のサブキャリアの受信品質を示すＮ番目受信品質情報を生成するサブキャリア選択手段と、
前記選択サブキャリア情報及び前記Ｎ番目受信品質情報を前記基地局装置に送信する送信手段と、を具備する通信端末装置。
【請求項９】
１の基地局装置と複数の通信端末装置とがＯＦＤＭ方式の無線通信を行うシステムにおけるリソース割り当て方法であって、
前記基地局装置が、前記通信中の通信端末装置毎に所望の受信品質を示す閾値を設定し、設定した閾値を示す閾値情報を前記各通信端末装置に送信する工程と、
前記各通信端末装置が、受信品質を測定し、前記閾値情報に示される閾値と前記受信品質との大小関係によって前記受信品質を量子化し、量子化した受信品質を示す受信品質情報を前記基地局装置に送信する工程と、
前記基地局装置が、前記受信品質情報及び前記閾値に基づいてサブキャリア毎にデータ送信先の通信端末装置を割り当て通信端末装置毎に送信データの変調方式及び符号化率を決定する工程と、を具備するリソース割り当て方法。
【請求項１０】
１の基地局装置と複数の通信端末装置とがＯＦＤＭ方式の無線通信を行うシステムにおけるリソース割り当て方法であって、
前記基地局装置が、前記通信中の通信端末装置毎に受信品質が高い順に選択するサブキャリア数Ｎを設定し、設定したサブキャリア数Ｎを示すサブキャリア数情報を前記各通信端末装置に送信する工程と、
前記各通信端末装置が、受信品質を測定し、受信品質が高い順に前記サブキャリア数情報によって示されるＮ個のサブキャリアを選択し、各サブキャリアについて当該サブキャリアが選択されたか否かを示す選択サブキャリア情報及び受信品質がＮ番目のサブキャリアの受信品質を示すＮ番目受信品質情報を前記基地局装置に送信する工程と、
前記基地局装置が、前記選択サブキャリア情報及び前記Ｎ番目受信品質情報に基づいてサブキャリア毎にデータ送信先の通信端末装置を割り当て、通信端末装置毎に送信データの変調方式及び符号化率を決定する工程と、を具備するリソース割り当て方法。
【発明の詳細な説明】
【技術分野】
【０００１】
本発明は、ＯＦＤＭ方式の無線通信に使用される基地局装置、通信端末装置及びリソース割り当て方法に関する。
【背景技術】
【０００２】
３ＧＰＰにて標準化されたＨＳＤＰＡ（High Speed Downlink Packet Access）では、通信端末装置がサブキャリア毎にＳＩＲ（希望波対干渉波比）等の受信品質を測定して基地局装置へ報告し、基地局装置が複数の通信端末装置から報告を受けた受信品質、通信端末装置のＱｏＳ（Quality Of Service）情報等に基づいて無線リソースを割り当てる。
【０００３】
ここで、ＯＦＤＭ方式の無線通信の場合には周波数方向に数百から千程度のサブキャリアのリソースがあることから、この場合のリソース割り当てには、受信品質測定結果を示す報告値が膨大になるという課題がある。特別な工夫をしない場合は、ＬサブキャリアをＭビットの情報で送信した場合は、Ｌ×Ｍビットが必要で、Ｎ人が１[ms]周期で送信するとＬ×Ｍ×Ｎ[kbps]と数十メガbpsのオーダとなり、通信回線を圧迫することになってしまう。
【０００４】
この課題を解決するものとして、従来からいくつかの提案がなされている。例えば、非特許文献１では、所定の閾値を設定し、受信品質が閾値より高いか否かの２値情報を用いることにより報告の為のビット数を低減している。
【非特許文献１】周波数スケジューリングを用いたＭＣ−ＣＤＭシステム（信学技報  TECHNICAL REPORTOF IEICE. NS2002-101 RCS2002-129 (2002-07)）
【発明の開示】
【発明が解決しようとする課題】
【０００５】
しかしながら、上記非特許文献１の方法では、あるサブキャリア又はサブキャリアブロックについて、受信品質が閾値より高い通信端末装置が１つであればその通信端末装置を割り当てることができるが、０又は複数である場合には、優劣をつけることができず、通信端末装置を割り当てることができないという問題がある。
【０００６】
本発明はかかる点に鑑みてなされたものであり、受信品質の報告の為のビット数を低減し、かつ、全てのサブキャリアに対して通信端末装置を割り当てることができる基地局装置、通信端末装置及びリソース割り当て方法を提供することを目的とする。
【課題を解決するための手段】
【０００７】
かかる課題を解決するため、本発明の基地局装置は、複数の通信端末装置とＯＦＤＭ方式の無線通信を行う基地局装置であって、前記通信中の通信端末装置毎に所望の受信品質を示す閾値を設定する閾値設定手段と、前記各通信端末装置にて前記閾値との大小関係に基づいて量子化された各サブキャリアの受信品質を示す受信品質情報を含む信号を復調する復調手段と、前記受信品質情報及び前記閾値に基づいてサブキャリア毎にデータ送信先の通信端末装置を割り当て通信端末装置毎に送信データの変調方式及び符号化率を決定するスケジューリング手段と、を具備する構成を採る。
【０００８】
本発明の基地局装置は、複数の通信端末装置とＯＦＤＭ方式の無線通信を行う基地局装置であって、前記通信中の通信端末装置毎に受信品質が高い順に選択するサブキャリア数Ｎを設定するサブキャリア数設定手段と、前記各通信端末装置にて前記サブキャリア数Ｎに基づいて各サブキャリアが選択されたか否かを示す選択サブキャリア情報及び受信品質がＮ番目のサブキャリアの受信品質を示すＮ番目受信品質情報を含む信号を復調する復調手段と、前記選択サブキャリア情報及び前記Ｎ番目受信品質情報に基づいてサブキャリア毎にデータ送信先の通信端末装置を割り当て通信端末装置毎に送信データの変調方式及び符号化率を決定するスケジューリング手段と、を具備する構成を採る。
【０００９】
本発明の通信端末装置は、上記基地局装置から前記閾値を示す情報を含む信号を受信して復調する受信手段と、受信信号の受信品質をサブキャリア毎に測定する受信品質測定手段と、前記受信品質と閾値との比較結果に基づいて各サブキャリアの受信品質を量子化し、量子化した受信品質を示す受信品質情報を生成する測定量子化手段と、前記受信品質情報を前記基地局装置に送信する送信手段と、を具備する構成を採る。
【００１０】
本発明の通信端末装置は、上記基地局装置から前記サブキャリア数Ｎを示す情報を含む信号を受信して復調する受信手段と、受信信号の受信品質をサブキャリア毎に測定する受信品質測定手段と、受信品質が高い順に、前記サブキャリア数情報によって示されるＮ個のサブキャリアを選択し、各サブキャリアについて当該サブキャリアが選択されたか否かを示す選択サブキャリア情報を生成し、受信品質がＮ番目のサブキャリアの受信品質を示すＮ番目受信品質情報を生成するサブキャリア選択手段と、前記選択サブキャリア情報及び前記Ｎ番目受信品質情報を前記基地局装置に送信する送信手段と、を具備する構成を採る。
【００１１】
本発明のリソース割り当て方法は、１の基地局装置と複数の通信端末装置とがＯＦＤＭ方式の無線通信を行うシステムにおけるリソース割り当て方法であって、前記基地局装置が、前記通信中の通信端末装置毎に所望の受信品質を示す閾値を設定し、設定した閾値を示す閾値情報を前記各通信端末装置に送信する工程と、前記各通信端末装置が、受信品質を測定し、前記閾値情報に示される閾値と前記受信品質との大小関係によって前記受信品質を量子化し、量子化した受信品質を示す受信品質情報を前記基地局装置に送信する工程と、前記基地局装置が、前記受信品質情報及び前記閾値に基づいてサブキャリア毎にデータ送信先の通信端末装置を割り当て通信端末装置毎に送信データの変調方式及び符号化率を決定する工程と、を具備する。
【００１２】
本発明のリソース割り当て方法は、１の基地局装置と複数の通信端末装置とがＯＦＤＭ方式の無線通信を行うシステムにおけるリソース割り当て方法であって、前記基地局装置が、前記通信中の通信端末装置毎に受信品質が高い順に選択するサブキャリア数Ｎを設定し、設定したサブキャリア数Ｎを示すサブキャリア数情報を前記各通信端末装置に送信する工程と、前記各通信端末装置が、受信品質を測定し、受信品質が高い順に前記サブキャリア数情報によって示されるＮ個のサブキャリアを選択し、各サブキャリアについて当該サブキャリアが選択されたか否かを示す選択サブキャリア情報及び受信品質がＮ番目のサブキャリアの受信品質を示すＮ番目受信品質情報を前記基地局装置に送信する工程と、前記基地局装置が、前記選択サブキャリア情報及び前記Ｎ番目受信品質情報に基づいてサブキャリア毎にデータ送信先の通信端末装置を割り当て、通信端末装置毎に送信データの変調方式及び符号化率を決定する工程と、を具備する。
【発明の効果】
【００１３】
本発明によれば、通信端末装置間の品質の比較が可能となるので、受信品質の報告の為のビット数を低減し、かつ、全てのサブキャリアに対して通信端末装置を割り当てることができる。
【発明を実施するための最良の形態】
【００１４】
以下、本発明の実施の形態について図面を参照して詳細に説明する。
【００１５】
（実施の形態１）
まず、本発明の実施の形態１に係る基地局装置の構成について図１のブロック図を用いて説明する。図１の基地局装置１００は、複数の通信端末装置と同時に無線通信を行う。各通信端末装置は、受信品質を測定し、閾値との大小関係に基づいて受信品質を量子化する。各通信端末装置から基地局装置１００に送信される信号には、量子化された受信品質を示す情報（以下、「受信品質情報」という）が含まれる。
【００１６】
共用器１０２は、アンテナ１０１に受信された信号を無線受信部１０３に出力する。また、共用器１０２は、無線送信部１５８から出力された信号をアンテナ１０１から無線送信する。
【００１７】
無線受信部１０３は、共用器１０２から出力された無線周波数の受信信号をベースバンド信号に変換してＦＦＴ部１０４に出力する。ＦＦＴ部１０４は、受信ベースバンド信号に対してフーリエ変換を行い、フーリエ変換後の信号を復調部１０５に出力する。
【００１８】
復調部１０５は、無線通信を行う通信端末装置の数だけ用意され、フーリエ変換後の受信ベースバンド信号に対して逆拡散、ＲＡＫＥ合成、誤り訂正復号等の復調処理を行い、受信データを得る。また、復調部１０５は、受信信号に含まれる受信品質情報を分離し、スケジューリング部１５２に出力する。
【００１９】
閾値設定部１５１は、無線通信を行う通信端末装置の数だけ用意され、通信端末装置毎に所望の受信品質を示す閾値を設定し、閾値を示す情報（以下、「閾値情報」という）をスケジューリング部１５２及び変調部１５４に出力する。閾値設定方法の例として、ＱｏＳに基づき、許容される遅延量が少ないほど高い閾値を設定することが考えられる。これにより、低遅延トラフィックの通信端末装置が選ばれやすくなる。
【００２０】
スケジューリング部１５２は、受信品質情報及び閾値情報に基づいて、サブキャリア毎にデータ送信先の通信端末装置を割り当て、通信端末装置毎に送信データの変調方式及び符号化率を決定する（リソース割り当て）。
【００２１】
なお、変調方式及び符号化率の決定方法の一例として以下のものがある。まず、変調方式及び符号化率をパラメータとして受信Ｓ／Ｎ対誤り率特性を測定し、所望の誤り率を実現するＳ／Ｎと変調方式及び符号化率のテーブルを用意する。通信中は、受信Ｓ／Ｎを測定し、それに対応する変調方式及び符号化率を選択する。
【００２２】
また、後に、具体例を用いてスケジューリング部１５２におけるリソース割り当てを詳細に説明する。
【００２３】
スケジューリング部１５２は、リソース割り当てを行った後、通信端末装置毎に、データ送信に用いるサブキャリア、変調方式及び符号化率を示す情報（以下、「割り当て情報」という）を変調部１５５に出力する。また、スケジューリング部１５２は、変調方式及び符号化率を変調部１５３に指示し、多重部１５６に入力される信号の多重の順番を多重部１５６に指示する。
【００２４】
変調部１５３は、無線通信を行う通信端末装置の数だけ用意され、スケジューリング部１５２の指示に従って、各通信端末装置への送信データに対して誤り訂正符号化、変調及び拡散を行って多重部１５６に出力する。変調部１５４は、無線通信を行う通信端末装置の数だけ用意され、閾値情報に対して誤り訂正符号化、変調及び拡散を行って多重部１５６に出力する。変調部１５５は、割り当て情報に対して誤り訂正符号化、変調及び拡散を行って多重部１５６に出力する。
【００２５】
多重部１５６は、スケジューリング部１５２の指示に従って、変調部１５３、変調部１５４及び変調部１５５の各出力信号を多重し、ＩＦＦＴ部１５７に出力する。
【００２６】
ＩＦＦＴ部１５７は、多重部１５６の出力信号に対して逆フーリエ変換を行い、逆フーリエ変換後の信号を無線送信部１５８に出力する。無線送信部１５８は、ＩＦＦＴ部１５７から出力されたベースバンド信号を無線周波数の信号に変換して共用器１０２に出力する。
【００２７】
次に、本実施の形態に係る通信端末装置の構成について図２のブロック図を用いて説明する。図２の通信端末装置２００は、図１に示した基地局装置１００と無線通信を行い、割り当て情報、閾値情報を含む無線信号を受信する。
【００２８】
共用器２０２は、アンテナ２０１に受信された信号を無線受信部２０３に出力する。また、共用器２０２は、無線送信部２５５から出力された信号をアンテナ２０１から無線送信する。
【００２９】
無線受信部２０３は、共用器２０２から出力された無線周波数の受信信号をベースバンド信号に変換してＦＦＴ部２０４に出力する。ＦＦＴ部２０４は、受信ベースバンド信号に対してフーリエ変換を行い、フーリエ変換後の、割り当て情報に示されたサブキャリアの信号を復調部２０５に出力する。
【００３０】
復調部２０５は、フーリエ変換後の受信ベースバンド信号に対して逆拡散、ＲＡＫＥ合成、誤り訂正復号等の復調処理を行い、受信データを得る。また、復調部２０５は、受信信号に含まれる割り当て情報を分離し、ＦＦＴ部２０４に出力する。また、復調部２０５は、受信信号に含まれる閾値情報を分離し、測定量子化部２０７に出力する。また、復調部２０５は、復調処理の過程で得られる希望波電力、干渉波電力等の受信品質測定に必要な情報を受信品質測定部２０６に出力する。
【００３１】
受信品質測定部２０６は、復調部２０５から出力された情報に基づいて受信品質をサブキャリア毎に測定し、測定した受信品質を示す情報を測定量子化部２０７に出力する。
【００３２】
測定量子化部２０７は、受信品質測定部２０６にて測定された受信品質と閾値情報によって示される閾値との大小比較を行い、比較結果に基づいて各サブキャリアの受信品質を量子化することにより受信品質情報を生成する。例えば、測定量子化部２０７は、各サブキャリアについて、受信品質が閾値より高ければ「１」、受信品質が閾値以下であれば「０」の受信品質情報を生成する。測定量子化部２０７は、生成した受信品質情報を変調部２５２に出力する。
【００３３】
変調部２５１は、基地局装置１００に送信するデータに対して誤り訂正符号化、変調及び拡散を行って多重部２５３に出力する。変調部２５２は、受信品質情報に対して誤り訂正符号化、変調及び拡散を行って多重部２５３に出力する。
【００３４】
多重部２５３は、変調部２５１及び変調部２５２の出力信号を多重し、ＩＦＦＴ部２５４に出力する。ＩＦＦＴ部２５４は、多重部２５３の出力信号に対して逆フーリエ変換を行い、逆フーリエ変換後の信号を無線送信部２５５に出力する。無線送信部２５５は、ＩＦＦＴ部２５４から出力されたベースバンド信号を無線周波数の信号に変換して共用器２０２に出力する。
【００３５】
次に、本実施の形態に係る基地局装置及び通信端末装置の動作順序について図３のシーケンス図を用いて説明する。なお、図３では、基地局装置（ＢＴＳ）が、２つの通信端末装置（ＭＳ＃１、ＭＳ＃２）と同時に通信を行っているものする。
【００３６】
まず、基地局装置は、各通信端末装置についてＱｏＳに基づいて閾値を設定し（Ｓ３０１）、設定した閾値を示す閾値情報を各通信端末装置に送信する（Ｓ３０２）。
【００３７】
各通信端末装置は、受信品質を測定し（Ｓ３０３）、受信した閾値情報に示される閾値と受信品質との大小関係によって受信品質を量子化し（Ｓ３０４）、量子化した受信品質を示す受信品質情報を基地局装置に送信する（Ｓ３０５）。
【００３８】
基地局装置は、各通信端末装置から受信した受信品質情報に示される受信品質の量子化された値を閾値に対応させ、リソース割り当てを行う（Ｓ３０６）。そして、基地局装置は、リソース割り当て結果を示す割り当て情報を各通信端末装置に送信し（Ｓ３０７）、リソース割り当てによって決定したサブキャリアを用いて各通信端末装置にデータを送信する（Ｓ３０８、Ｓ３０９）。
【００３９】
各通信端末装置は、受信信号に対して、割り当て情報に示されたサブキャリアについてフーリエ変換を行い、受信データを得る（Ｓ３１０）。
【００４０】
次に、図４、図５を用いて、本実施の形態に係る基地局装置１００のスケジューリング部１５２におけるリソース割り当てを詳細に説明する。図４は、各通信端末装置（ＭＳ＃１、ＭＳ＃２）から送信された受信品質情報を示す図であり、図５は、閾値設定部１５１にて設定された閾値を示す図である。なお、図４において、「１」は受信品質が閾値より高い場合を表し、「０」は受信品質が閾値以下である場合を表す。
【００４１】
従来の方法では、閾値は全ての通信端末装置において一定であり、量子化した受信品質のみに基づいて各サブキャリアに割り当てる通信端末装置を決定している。このため、従来の方法では、図４のサブキャリア１、３のように、受信品質が閾値より高い（受信品質情報が「１」である）通信端末装置が１つのみである場合には、その通信端末装置を割り当てることができる。ところが、従来の方法では、図４のサブキャリア２、４、５のように、受信品質が閾値より高い通信端末装置が０又は複数である場合には、優劣をつけることができず、通信端末装置を割り当てることができない。
【００４２】
これに対し、本実施の形態では、受信品質が閾値より高い通信端末装置が０又は複数である場合には、閾値が最も高い通信端末装置を割り当てる。例えば、図５の場合、ＭＳ＃２の閾値の方がＭＳ＃１のものよりも高いので、スケジューリング部１５２は、サブキャリア２、４、５にＭＳ＃２を割り当てる。
【００４３】
このように、本実施の形態によれば、通信端末装置毎に所望の受信品質を示す閾値を設定し、リソース割り当ての際に閾値を参照することにより、通信端末装置間の品質の比較が可能となるので、受信品質の報告の為のビット数を低減し、かつ、全てのサブキャリアに対して通信端末装置を割り当てることができる。
【００４４】
（実施の形態２）
次に、本発明の実施の形態２について説明する。まず、本実施の形態に係る基地局装置の構成について図６のブロック図を用いて説明する。図６の基地局装置６００は、複数の通信端末装置と同時に無線通信を行う。各通信端末装置は、受信品質が高い順に、基地局装置６００にて設定された個数Ｎだけ、サブキャリアを選択する。各通信端末装置から基地局装置６００に送信される信号には、サブキャリア毎に、当該サブキャリアが選択されたか否かを示す情報（以下、「選択サブキャリア情報」という）、及び、受信品質がＮ番目のサブキャリアの受信品質を示す情報（以下、「Ｎ番目受信品質情報」という）が含まれる。
【００４５】
なお、図６の基地局装置６００において、図１に示した基地局装置１００と共通する構成には、図１と同一の符号を付し、説明を省略する。図６の基地局装置６００は、図１に示した基地局装置１００と比較して、閾値設定部１５１を削除し、サブキャリア数設定部６５１を追加する構成を採る。また、基地局装置６００のスケジューリング部６５２の作用が、基地局装置１００のスケジューリング部１５２のものと異なる。
【００４６】
サブキャリア数設定部６５１は、無線通信を行う通信端末装置の数だけ用意され、通信端末装置毎に、受信品質が高い順に選択するサブキャリア数Ｎを設定し、サブキャリア数Ｎを示す情報（以下、「サブキャリア数情報」という）を変調部１５４に出力する。サブキャリア数設定方法の例として、ＱｏＳに基づき、許容される遅延量が少ないほどサブキャリア数Ｎを少なく設定することが考えられる。これにより、低遅延トラフィックの通信端末装置と他の通信端末装置とが同一のサブキャリアにおいて同一内容の報告をした場合であっても、低遅延トラフィックの通信端末装置が選ばれやすくなる。
【００４７】
変調部１５４は、無線通信を行う通信端末装置の数だけ用意され、サブキャリア数情報に対して誤り訂正符号化、変調及び拡散を行って多重部１５６に出力する。
【００４８】
復調部１０５は、無線通信を行う通信端末装置の数だけ用意され、フーリエ変換後の受信ベースバンド信号に対して逆拡散、ＲＡＫＥ合成、誤り訂正復号等の復調処理を行い、受信データを得る。また、復調部１０５は、受信信号に含まれる選択サブキャリア情報及びＮ番目受信品質情報を分離し、スケジューリング部６５２に出力する。
【００４９】
スケジューリング部６５２は、選択サブキャリア情報及びＮ番目受信品質情報に基づいて、サブキャリア毎にデータ送信先の通信端末装置を割り当て、通信端末装置毎に送信データの変調方式及び符号化率を決定する（リソース割り当て）。そして、スケジューリング部６５２は、リソース割り当てを行った後、割り当て情報を変調部１５５に出力する。また、スケジューリング部６５２は、変調方式及び符号化率を変調部１５３に指示し、多重部１５６に入力される信号の多重の順番を多重部１５６に指示する。
【００５０】
次に、本実施の形態に係る通信端末装置の構成について図７のブロック図を用いて説明する。図７の通信端末装置７００は、図６に示した基地局装置６００と無線通信を行い、サブキャリア数情報を含む無線信号を受信する。
【００５１】
なお、図７の通信端末装置７００において、図２に示した通信端末装置２００と共通する構成には、図２と同一の符号を付し、説明を省略する。図７の通信端末装置７００は、図２に示した通信端末装置２００と比較して、測定量子化部２０７を削除し、サブキャリア選択部７０１を追加する構成を採る。
【００５２】
復調部２０５は、フーリエ変換後の受信ベースバンド信号に対して逆拡散、ＲＡＫＥ合成、誤り訂正復号等の復調処理を行い、受信データを得る。また、復調部２０５は、受信信号に含まれる割り当て情報を分離し、ＦＦＴ部２０４に出力する。また、復調部２０５は、受信信号に含まれるサブキャリア数情報を分離し、サブキャリア選択部７０１に出力する。また、復調部２０５は、復調処理の過程で得られる希望波電力、干渉波電力等の受信品質測定に必要な情報を受信品質測定部２０６に出力する。
【００５３】
受信品質測定部２０６は、復調部２０５から出力された情報に基づいて受信品質をサブキャリア毎に測定し、測定した受信品質を示す情報をサブキャリア選択部７０１に出力する。
【００５４】
サブキャリア選択部７０１は、受信品質が高い順に、サブキャリア数情報によって示されるＮ個のサブキャリアを選択し、各サブキャリアについて当該サブキャリアが選択されたか否かを示す選択サブキャリア情報を生成する。例えば、サブキャリア選択部７０１は、各サブキャリアについて、受信品質が高い順にＮ番目以内であれば「１」、受信品質が高い順にＮ番目以内でなければ「０」の選択サブキャリア情報を生成する。また、サブキャリア選択部７０１は、受信品質がＮ番目のサブキャリアの受信品質（以下、「Ｎ番目受信品質」という）を検出し、Ｎ番目受信品質情報を生成する。そして、サブキャリア選択部７０１は、生成した選択サブキャリア情報及びＮ番目受信品質情報を変調部２５２に出力する。
【００５５】
変調部２５２は、選択サブキャリア情報及びＮ番目受信品質情報に対して誤り訂正符号化、変調及び拡散を行って多重部２５３に出力する。
【００５６】
次に、本実施の形態に係る基地局装置及び通信端末装置の動作順序について図８のシーケンス図を用いて説明する。なお、図８では、基地局装置（ＢＴＳ）が、２つの通信端末装置（ＭＳ＃１、ＭＳ＃２）と同時に通信を行っているものする。
【００５７】
まず、基地局装置は、各通信端末装置についてＱｏＳに基づいてサブキャリア数Ｎを設定し（Ｓ８０１）、設定したサブキャリア数Ｎを示すサブキャリア数情報を各通信端末装置に送信する（Ｓ８０２）。
【００５８】
各通信端末装置は、受信品質を測定し（Ｓ８０３）、受信品質が高い順に、サブキャリア数情報によって示されるＮ個のサブキャリアを選択し（Ｓ８０４）、選択結果を示す選択サブキャリア情報、及び、Ｎ番目受信品質を示すＮ番目受信品質情報を基地局装置に送信する（Ｓ８０５、Ｓ８０６）。
【００５９】
基地局装置は、各通信端末装置から受信した選択サブキャリア情報及びＮ番目受信品質情報に基づいてリソース割り当てを行う（Ｓ８０７）。そして、基地局装置は、リソース割り当て結果を示す割り当て情報を各通信端末装置に送信し（Ｓ８０８）、リソース割り当てによって決定したサブキャリアを用いて各通信端末装置にデータを送信する（Ｓ８０９、Ｓ８１０）。
【００６０】
各通信端末装置は、受信信号に対して、割り当て情報に示されたサブキャリアについてフーリエ変換を行い、受信データを得る（Ｓ８１１）。
【００６１】
次に、図９、図１０を用いて、本実施の形態に係る基地局装置６００のスケジューリング部６５２におけるリソース割り当てを詳細に説明する。図９は、各通信端末装置（ＭＳ＃１、ＭＳ＃２）から送信された選択サブキャリア情報を示す図であり、図１０は、各通信端末装置（ＭＳ＃１、ＭＳ＃２）から送信されたＮ番目受信品質情報を示す図である。なお、図９において、「１」は受信品質がＮ番目以内である場合を表し、「０」は受信品質がＮ番目以内でない場合を表す。また、図９の場合、ＭＳ＃１についてはＮ＝２であり、ＭＳ＃２についてはＮ＝３である。
【００６２】
本実施の形態では、図４のサブキャリア１、３、５のように、受信品質がＮ番目以内である（選択サブキャリアが「１」である）通信端末装置が１つのみである場合には、その通信端末装置を割り当てる。また、本実施の形態では、受信品質がＮ番目以内である通信端末装置が０又は複数である場合には、Ｎ番目のサブキャリアの受信品質が最も高い通信端末装置を割り当てる。例えば、図５の場合、ＭＳ＃２のＮ番目受信品質の方がＭＳ＃１のものよりも高いので、スケジューリング部６５２は、サブキャリア２、４にＭＳ＃２を割り当てる。
【００６３】
このように、本実施の形態によれば、通信端末装置毎に受信品質が高い順に選択するサブキャリア数Ｎを設定し、リソース割り当ての際にＮ番目のサブキャリアの受信品質を参照することにより、通信端末装置間の品質の比較が可能となるので、受信品質の報告の為のビット数を低減し、かつ、全てのサブキャリアに対して通信端末装置を割り当てることができる。
【００６４】
なお、実施の形態２は、サブキャリア選択部７０１において、受信品質が高い順にＮ番目までのサブキャリアを選択する場合について説明したが、全体の中で受信品質が高い上位Ｎ％のサブキャリアを選択するようにしても良い。
【００６５】
なお、上記各実施の形態では、サブキャリア単位で通信端末装置を割り当てる場合について説明したが、本発明はこれに限られず、所定数のサブキャリアをまとめたブロック単位で通信端末装置を割り当てることもできる。
【産業上の利用可能性】
【００６６】
本発明は、ＯＦＤＭ方式の無線通信を行う基地局装置、通信端末装置に用いるに好適である。
【図面の簡単な説明】
【００６７】
【図１】本発明の実施の形態１に係る基地局装置の構成を示すブロック図
【図２】上記実施の形態に係る通信端末装置の構成を示すブロック図
【図３】上記実施の形態に係る基地局装置及び通信端末装置の動作順序を示すシーケンス図
【図４】上記実施の形態に係る通信端末装置から送信された受信品質情報を示す図
【図５】上記実施の形態に係る基地局装置の閾値設定部にて設定された閾値を示す図
【図６】本発明の実施の形態２に係る基地局装置の構成を示すブロック図
【図７】上記実施の形態に係る通信端末装置の構成を示すブロック図
【図８】上記実施の形態に係る基地局装置及び通信端末装置の動作順序を示すシーケンス図
【図９】上記実施の形態に係る通信端末装置から送信された選択サブキャリア情報を示す図
【図１０】上記実施の形態に係る通信端末装置から送信されたＮ番目受信品質情報を示す図
【符号の説明】
【００６８】
１００、６００  基地局装置
１０４  ＦＦＴ部
１０５  復調部
１５１  閾値設定部
１５２、６５２  スケジューリング部
１５３、１５４、１５５  変調部
１５６  多重部
１５７  ＩＦＦＴ部
２００、７００  通信端末装置
２０４  ＦＦＴ部
２０５  復調部
２０６  受信品質測定部
２０７  測定量子化部
２５１、２５２  変調部
２５３  多重部
２５４  ＩＦＦＴ部
６５１  サブキャリア数設定部
７０１  サブキャリア選択部
【図１】
2006180374.tif 000003
【図２】
2006180374.tif 000004
【図３】
2006180374.tif 000005
【図４】
2006180374.tif 000006
【図５】
2006180374.tif 000007
【図６】
2006180374.tif 000008
【図７】
2006180374.tif 000009
【図８】
2006180374.tif 000010
【図９】
2006180374.tif 000011
【図１０】
2006180374.tif 000012